(57)【特許請求の範囲】
【請求項１】
第一スライド部材、
前記第一スライド部材に摺動自在に連結された第二スライド部材、
前記第一スライド部材の端部に設けられかつ所定幅を有するタブ、および
第二スライド部材と係合自在であり、かつバンパーの中央に延在する中央スロットによって前記タブ上に据えつけられた上下端部を有する弾性バンパーを含み、
前記第二スライド部材は二つの脚部および前記二つの脚部間にチャンネルを形成するウエブを有し、
前記スロットは前記タブの幅よりも長い長手を有し、前記タブ上に据えつけられかつ前記第二スライド部材と係合しないときに、前記バンパーは引張を受けず、かつ第二スライド部材の脚部は、前記内スライド部材が閉鎖位置へ移動するときに前記バンパーを二つの前記脚部間へセンタリングすべく前記バンパーの外面と係合する、引出しスライド組立体。
【請求項２】
前記タブ上に据えつけられかつ前記第二スライド部材と係合しないときに、前記バンパーは前記タブの長手に沿って所定方向において前記タブに対して摺動可能である、請求項１に記載の引出しスライド組立体。
【請求項３】
前記タブは前記第一スライド部材から横切る方向に延在する２つの対峙縁部を有しかつ切欠きが前記縁部の少なくとも１つに形成され、かつ前記バンパーが前記切欠きと合致するための突起が前記スロット内に形成されている、請求項２に記載の引出しスライド組立体。
【請求項４】
切欠きが前記２つの縁部の各々に形成されている、請求項３に記載の引出しスライド組立体。
【請求項５】
前記バンパーは前記各切欠きに対応する突起を含み、かつ突起が前記各切欠きへ延在する、請求項４に記載の引出しスライド組立体。
【請求項６】
前記突起は前記切欠きと接触しない、請求項３に記載の引出しスライド組立体。
【請求項７】
前記スロットの幅は前記タブの厚みよりも大きい、請求項２に記載の引出しスライド組立体。
【請求項８】
前記スロットは前記バンパーの上下端部との交差点で縁部を形成し、かつ前記スロットの少なくとも１つの縁部は面取りされている、請求項２に記載の引出しスライド組立体。
【請求項９】
前記バンパーの反対端部に形成されたスロットの縁部は面取りされている、請求項８に記載の引出しスライド組立体。
【請求項１０】
前記バンパーは上下周辺縁部を有し、かつ前記周辺縁部の少なくとも１つは面取りされている、請求項２に記載の引出しスライド組立体。
【請求項１１】
前記第二スライド部材に対面する前記上周辺縁部の部分は面取りされている、請求項１０に記載の引出しスライド組立体。
【請求項１２】
前記バンパーは面取りした上下周辺縁部を有する、請求項２に記載の引出しスライド組立体。
【請求項１３】
前記バンパーは前記スロットと交差しかつ前記バンパーの内部へ延在する中心通路を有する、請求項２に記載の引出しスライド組立体。
【請求項１４】
前記タブに取り付けられたガセットを更に含み、前記バンパーの中心通路は前記ガセットを受けている、請求項１３に記載の引出しスライド組立体。
【請求項１５】
前記バンパーは前記タブ上に据えつけられ、前記中心通路は前記ガセットにより引張られない、請求項１４に記載の引出しスライド組立体。
【請求項１６】
前記バンパーは前記タブ上に据えつけられ、前記バンパーは前記タブに対して浮動可能である、請求項２に記載の引出しスライド組立体。
【請求項１７】
スライド部材であって、
前記スライド部材から延びた所定幅を有するストッパ部材、および
前記ストッパ部材上に据えつけられたバンパーを含み、
前記バンパーは上下周辺縁部をそれぞれ有する上下端部、および
前記ストッパ部材を受けるための前記バンパーへ延在する内スロットを含み、
前記スロットは所定長を有し、前記スロットの所定長は前記ストッパ部材の幅よりも大きい寸法であり、かつ前記バンパーは前記ストッパ部材に対して浮動する、スライド部材。
【請求項１８】
前記バンパーは前記スロットと平行の面に沿って前記スロット内に延在する突起を更に含む、請求項１７に記載のスライド部材。
【請求項１９】
前記バンパーのスロットは面取りされた縁部を含む、請求項１７に記載のスライド部材。
【請求項２０】
前記バンパーは前記ストッパー部材上に据えつけられるときに引張を受けない、請求項１７に記載のスライド部材。
【請求項２１】
二つの脚部および前記二つの脚間のウエブを有する内スライド部材、
前記内スライド部材に摺動自在に連結された中間スライド部材、
前記中間スライド部材に摺動自在に連結されかつ二つの脚部および二つの前記脚間のウエブを有する外スライド部材、
前記中間スライド部材の一端部に設けられかつ所定幅を有するタブ、および
前記内スライド部材および前記外スライド部材のいずれか一方のスライド部材と係合自在でありかつ上下端部を有する弾性バンパーを含み、
前記バンパーはバンパーの中央に延在する中央スロットによって前記タブ上に据えつけられ、
前記スロットは前記タブの幅よりも長い長手を有し、
前記タブ上に据えつけられかつ前記内スライド部材または前記外スライド部材のいずれか一方と係合しないときに、前記バンパーは引張を受けず、かつ
前記内スライド部材または前記外スライド部材のいずれか一方は、前記内スライド部材または前記外スライド部材のいずれか一方が閉鎖位置へ移動するときに前記内スライド部材または前記外スライド部材のいずれか一方の二つの前記脚部間へ前記バンパーをセンタリングすべく前記バンパーの外面と係合する、引出しスライド組立体。
【請求項２２】
前記内スライド部材または前記外スライド部材のいずれか一方と係合しないときに、前記バンパーは前記タブの長手に沿って所定方向において前記タブに対して摺動可能である、請求項２１に記載の引出しスライド組立体。
【請求項２３】
前記バンパーは前記タブに対して浮動不可能である、請求項２２に記載の引出しスライド組立体。
【請求項２４】
内スライド部材、
前記内スライド部材へ摺動自在に連結された外スライド部材、
前記内スライド部材の一端部に設けられかつ所定幅を有するタブ、および
前記外スライド部材と係合自在でありかつそのバンパーの中央に延在する中央スロットによって前記タブ上に据えつけられた上下端部を有する弾性バンパーを含み、
前記スロットは前記タブの幅よりも長い長手を有し、
前記タブ上に据えつけられかつ前記外スライド部材と係合しないときに、前記バンパーは引張を受けず、かつ
前記バンパーは前記スロットの長手に沿って所定方向において前記タブに対して摺動可能であり、かつ
前記外スライド部材は、前記外スライド部材が閉鎖位置へ移動するときに二つの前記脚部間へ前記バンパーをセンタリングすべく前記バンパーの外面と係合する、引出しスライド組立体。
【請求項２５】
前記弾性バンパーは前記タブに対して浮動不可能である、請求項２４に記載の引出しスライド組立体。
【発明の詳細な説明】
【０００１】
発明の背景
本発明は引出しスライドのための改良されたストッパ、具体的には引出しスライドを閉鎖位置において停止かつ保持するためのフローティングバンパーに関する。
個別引出しスライドは２またはそれ以上の部材、固定部材、および少なくとも１つの格納式部材で構成される。固定部材は典型的にはキャビネットまたは机内に据えつけられ、格納式部材は典型的にはキャビネットまたは机から伸長後退する引出しに連結される。引出しスライドは典型的には、引出しの各側部に１つづつ、対で設けられる。３部材スライドはローラベアリングにより係合する中間部材、固定部材を伴うベアリング保持器、および引出しを長く伸張させる引出し部材を有する。
【０００２】
２部材スライドおよび３部材スライドにおいて、これらのスライド部材は相互に対してボールベアリングにより連結される。ボールベアリングは好適にはスライド部材間に設けられるチャンネル形ベアリング保持器内にフイットする。ベアリング保持器はスライド部材間、即ち、内スライド部材と中間スライド部材間、および中間スライド部材と外スライド部材間にフイットする。各スライド部材は、また、中央ウエブ、および中央ウエブの両側に沿って長手方向に延在する２つのベント脚部を有するチャンネル形状である。
格納式部材が完全に伸長するときに、引出しは、それを据えつけたキャビネット内の空間からの移動を制限される。引出しが完全に収納されるときに、格納式部材は後ストッパに直面する。典型例として、後ストッパは、固定部材に形成されたチャンネルへ伸長するように、固定部材のウエブの選択部を曲折することにより形成される。このように、後ストッパは３部材スライドにおいて外スライド部材から内スライド部材の通路へ、かつ中間スライド部材および内スライド部材の通路へ延在するタブである。通常設計において、ゴムバンパーが後ストッパ部材上に圧力嵌めされる。かかる形態において、ゴムバンパーはスロットを有し、かつタブ上へ押し下げられる。典型的には、スロットはタブの幅よりも狭く、かつバンパーはタブ上にフイットするために緊張し、バンパーをコンスタントに引張った状態にしておく。
【０００３】
バンパーは次のように機能する。３部材スライドにおいて、中間スライド部材は固定部材内でその収納位置へ摺動するときに、その運動は中間スライド部材のウエブがゴムバンパーを殴打することにより停止する。内スライド部材は、また、ゴムバンパーに直面するまで移動を続ける。内スライド部材がゴムバンパーに直面するときに、内スライド部材の内面が脚部を曲折し、内スライド部材のウエブの切欠き部を包囲し、ゴムバンパーの両側と係合して摺動し、それによりゴムバンパーを圧縮する。内スライド部材が更に摺動するときに、内スライド部材の前端部上の内スライド部材のウエブのベントフランジ部が同様に前ストッパに対して停止する。内スライド部材前フランジ部が停止するとき、内スライド部材ベント後脚はバンパーを通過し、かつベント後脚の僅かな内方鉤に起因して、積極的伸張力が内スライド部材に再び加わるまで所定位置に内スライド部材を保持する。この保持運動は、次の続く伸張まで、内スライド部材を閉鎖位置に保持する。
【０００４】
ストッパ部材上に据えつけられている間のゴムバンパーのコンスタントな緊張および圧縮は疲労を与えてバンパーの弾性を劣化させる。結果的に、バンパーは亀裂して終局的に使用不可になる。かかるバンパーが固定部材上のスライドの後端部にある場合、それを交換することは机またはキャビネット内に据えつけられた後は問題である。そのために、使用寿命を向上させるスライドのストッパ部材上に据えつけるゴムバンパーに対するニーズがある。
更に、閉鎖位置のときに、内スライド部材後端部の相当部がボール保持器の内端部から突出する。スライドが長ければ長いほど、スライドが閉鎖位置のときに保持器から突出する内スライド部材の後端部が長くなる。結果的に、内スライド部材が後方へ摺動してスライドに接近するときに、内スライド部材後端部は屈撓または僅かに曲折または整列から外れる。結果として、内スライド部材が更に後方へ摺動するときに、内スライド部材後ウエブはバンパーへ侵入し、かつバンパーを後ストッパタブから離脱させる傾向がある。このために、内スライド部材が偶発的に後ストッパタブと接触するときに後ストッパタブから離脱しないバンパーに対するニーズがある。
【０００５】
発明の概要
１つの特徴として、本発明は引出しスライドの固定部材内に形成された後ストッパ等のスライド部材のストッパ上に使用するためのバンパーを提供する。後ストッパは、固定スライド部材により形成されたチャンネルへ向けてウエブの中央部を折り曲げることにより形成されたタブである。前記バンパーは弾性材により概ねフラット形態に加工され、かつストッパタブを受けるための中心スロットを有する。前記バンパー内のスロットは、前記バンパーが前記タブ上に据えつけられるときに引張下にならないように前記ストッパタブの長手方向の寸法よりも長い長手方向の寸法を有する。
【０００６】
一形態において、前記ストッパタブは各垂直エッジ上に形成された切欠きを有する。前記バンパーの中心スロット内に形成された２つの突起が前記タブ上の前記切欠きに対応して、前記バンパーを拘束し前記タブから脱出しないようにする。前記スロット内の各突起は、前記バンパーが前記ストッパタブ上の適所にフイットするときに前記タブの各切欠きにより形成された空間へ侵入するような長さを有する。前記突起は前記切欠きへ接近するが前記切欠きのエッジ、即ち、縁部と係合しすることなくルーズフイットする。ただし、前記突起の長さは、前記バンパーの前記ストッパタブからの離脱を試みるときに前記突起が前記切欠きのエッジと係合し、それによりバンパーからの離脱に抵抗するようなものである。
【０００７】
前記ストッパタブを強力にしかつその寿命を長期化するために、前記ストッパタブは前記タブに取り付けられたガセットにより支持されてよい。前記ガセットを収容するために、管状通路が前記バンパーの内部に形成され前記スロットの上方へ延びている。前記管状通路は、好適には、前記バンパーの一端から他端へ延在する。前記通路はルーズフイットするために前記ガセットよりも大きい。
好適には、前記スロットの周辺エッジおよび前記バンパーの周辺エッジは面取りされている。前記バンパーを前記タブ上に据えつけるときに、前記面取りされたスロットのエッジは前記タブと係合して前記スロットへ案内する。前記内スライド部材が屈撓または整列しない場合に、前記バンパーの面取りされた周辺エッジは前記内スライド部材のウエブを前記バンパー上へ案内して前記バンパーの係合離脱を阻止する。
【０００８】
他の特徴として、本発明は引出しスライド組立体を提供し、この引出しスライド組立体は、外スライド部材、および前記外スライド部材に摺動自在に連結された内スライド部材を含む。前記内スライド部材はウエブおよび前記ウエブの各エッジに沿って延在するベント脚部を有しチャンネルを形成する。タブが前記チャンネルにより形成される空間へ延在する前記外スライド部材の端部に設けられる。上下端部を有する弾性バンパーが前記バンパーに延在する中心スロットにより前記タブ上に据えつけられる。前記スロットの長さは前記タブ上に据えつけられたときに前記タブよりも広く、前記タブ上での前記バンパーの側から側への『フローティング』、即ち、浮動もしくは摺動を可能にし、かつ前記内スライド部材が閉鎖位置に移動するときに前記内スライドの脚部が前記バンパーを前記タブ上で摺動自在に移動させるために前記バンパーの外面と係合する。
【０００９】
発明の詳細な説明
従来技術による引出しスライドは、典型的には、固定部材と１またはそれ以上の格納部材から成る。固定部材は典型的にはキャビネット上に設置され、かつ格納部材の１つは引出しに連結される。典型的３段引出しスライドは、例えば、チャンネル形固定部材１０を含む（図１）。チャンネル形中間スライド部材１２は固定部材１０の『チャンネル』内に摺動するように連結される。チャンネル形内スライド部材１４は中間スライド部材１２の『チャンネル』内に摺動するように連結される。
【００１０】
断面において、固定部材は上下端部を持つウエブ１６を有する。脚１８は各端部からウエブ１６に対して直角に延在してチャンネルを形成する。各脚は固定部材の長手に橋を架ける（を閉鎖する）。リップ２０が各脚の端部に形成されかつ固定部材の長手に延在する。リップは各脚の端部をウエブに向けて９０°直角に折り曲げることにより形成される。
中間スライド部材１２はその外スライド部材の高さよりも低い。中間スライド部材は、また、ウエブ２２およびウエブの各端部から延在する直角脚２４を有していてチャンネルを形成する。中間スライド部材の各脚はＳ形断面を有していて、その長手に沿ってベアリングレースウエーの外部２６および内部２８を形成する。
【００１１】
中間スライド部材１２はボールベアリング３０を介して固定部材のチャンネルに連結される。ボールベアリングは固定部材脚の各々の内面上および中間部材脚の各々の上に形成された外レースウエー上に載る。固定部材の各脚上のリップはボールベアリング用保持壁として働く。ボールベアリングはリップ２０により自己保持される保持器３２内にフイットする。
チャンネル形内スライド部材１４は中間スライド部材の高さよりも低い。内スライド部材は中間スライド部材内に摺動自在に設置される。内スライド部材の脚３４は断面湾曲しており、外凹ベアリングレースウエー３６および内凹面３８を有する。これらの脚は、また、ウエブ３９から直角に延在する。
【００１２】
内スライド部材はボールベアリング４０を使用して中間スライド部材に連結される。これらのボールベアリングは内スライド部材と中間スライド部材間にフイットするチャンネル形保持器４２内にフイットすることが好ましい。中間スライド部材と内スライド部材間のボールベアリングは中間スライド部材の脚上に形成された内ベアリングレースウエー上、および内スライド部材脚上に形成された外レースウエー上に載る。
後ストッパ要素は固定スライド部材の後端部に設置される（図２）。後ストッパ要素はウエブ１６の中央部を折り曲げることにより固定スライド部材により形成されたチャンネルへ延在するように形成される。図示されたように、後ストッパ要素としての後ストッパ部材は中間スライド部材および内スライド部材の通路へ延びかつ上方へ延在するタブ４４である（図２および３）。中央スロット４８を有する弾性バンパー４６はタブ４４上に取り付けるに先立ってタブ４４上に示されている。図示されたように、スロット４８はタブ４４の幅よりも狭く、バンパーおよびスロットをタブ上で緊張させ、引張り、圧力嵌めさせることを必要とする。バンパー４６は後ストッパ部材上を付勢して、その開放端部を除き後ストッパ部材を包囲する（図４）。スロット４８はバンパー４６の本体を経てその上端から下端へ延在する。スロット４８は後ストッパ部材の幅よりも狭いので、これに起因してタブ上に設置されたときにバンパーを緊張する。円形凹部５０がバンパーの中央に形成されて該スロットと交差する。バンパー外面はスロットの平面に沿って整列する中心を有する３つの交差円筒部、２つの端円筒部５２および中央円筒部５４により形成される。
【００１３】
第二ストッパ部材５６はスライドの前端部で固定部材上に設置される（図５）。内スライド部材のウエブ３９のベントフランジ部５８は内スライド部材脚３４により形成されたチャンネルへ向けて上方へ延在する。フランジ部５８は９０°で内方へ折れ、かつ内スライド部材脚３４のチャンネルの深さよりも長く、かつストッパ部材５６の実質部とオーバーラップする点まで延在する。内スライド部材が閉鎖位置へ後退するときに、ベントフランジ５８は第二ストッパ部材と係合して内スライド部材の移動を停止させる。
後ストッパ部材上にフイットするときに、バンパーの全長６０は内スライド部材の脚３４の内面間の最短距離よりも僅かに長い。通常形態において、後端部における内スライド部材のウエブの一部は２つの内スライド部材脚がウエブの端部へ延びるように切欠くまたは彫刻される。切欠き６３を越えて延びる脚６２の部は、内スライド部材の後端部で各脚の内面間の距離がストッパ部材の全長６０よりも短くなるように、相互に対して小距離だけ圧搾または曲折される。切欠き６３はウエブを留めることなく両端部の曲折を可能する。
【００１４】
本発明によるバンパーは、好適には、本発明の背景で説明したバンパーと同様の外形を有する（図５に示されたように）。タブ４４は両側エッジの各々に沿って切欠き７０を有する。タブの１つの側エッジ上の切欠で充分であるが、各側エッジ上に切欠き７０を設けることが好ましい。各切欠き７０は好適には水平上エッジ７２およびテイパーを付けた下エッジ７４を有する。タブ４４は内スライド部材上に位置するように図示されているが、他の形態においてタブは外スライド部材上、または中間スライド部材上に形成される。各形態例において、本発明による自己センタリングバンパーがタブ上に設けられる。
【００１５】
本発明のバンパーは後ストッパタブを受けるためのスロット７６を有する。スロット７６は長さ７８、幅８０および高さ８２を有する（図７Ａ，Ｂ）。スロットはバンパーを上から下へ延びる。突起８４がスロットの各内側壁に形成され、かつスロット内で、即ち、長手または長さ方向に突出する。各突起は、バンパーが所定位置のときに切欠き７０へ侵入するように設計される。好適には、バンパーはストッパタブ、即ち後ストッパ部材上に形成された各切欠きに対する突起を有する。従って、ストッパタブがその各側エッジ上に切欠き７０を有する場合には、突起８４はスロットの各側エッジに設けられる。
【００１６】
バンパーの上下端部上のスロットの全エッジ８６，８７は面取りされている（図７Ａ，Ｂ）。面取りされたスロットエッジ８６は設置時にバンパースロットをタブに整列させかつタブ上を摺動させるガイドとして働く。好適には、バンパー両端部のスロットエッジはバンパーのいずれかの端部のタブへの挿入を促進するように面取りされる。
バンパー周辺エッジ８８は同様に面取りされる。この観点から、閉鎖位置に接近するときに内スライド部材が外スライド部材または中間スライド部材に対して傾斜する、またはそれを付勢する場合には、内スライド部材のウエブ後端部は面取りエッジ８８と接触する。この結果、エッジの面取りがウエブをバンパー上へ案内し、それによりウエブのバンパーへの沈下およびタブの上昇を阻止する。好適には、バンパー上の全周辺エッジはバンパーのいずれの端部からの据えつけを促進するように面取りされる。
【００１７】
バンパー配向を中立にすることは、バンパーを後ストッパタブ上に据えつける人がタブに対するバンパー配向を心配しなくてよい大きな利点を提供する。バンパーのタブへの自動据えつけ方法において、配向中立バンパーは操作が簡単である。
多くのスライドにおいて、後ストッパタブは破損により尚早に使用できなくなる。タブの寿命を延ばすために、ガセット９０が典型的にはタブの背面へ取り付けられる（図６）。ガセットは典型的にはタブのベース９２からタブの中間高さ上のレベル９３まで延在する。好適には、ガセットはタブの中心に沿って取り付けられる。ガセットを収容するために、開口部９４がバンパー内に形成される（図７Ａ，Ｂ，Ｃ）。開口部はスロット７６と交差する。しかしながら、バンパー配向を中立にするために、円筒開口部が形成され、バンパーの全高さ、即ち、バンパー上端部から下端部までに及ぶ。開口部の直径は、バンパーがタブ上に据えつけられるときにガセットがバンパー上にいかなる圧力も与えないような大きさである。側から側への移動を可能にするこの自由度が係合スライド部材の脚間でのバンパーのそれ自体によるセンタリングを可能にする。
【００１８】
スロットの長さ７８は、据えつけられたときにバンパー上の引張を解消するためにストッパタブの最高長９６よりも大きい特別設計になっていて、内スライド部材の伸長後退時におけるタブ上のスライドバンパーの側から側への移動を可能にする。
突起８４の長さ９８は、バンパーがストッパ部材上に据えつけられるときに各突起がストッパタブ上で各切欠き７０により形成された空間へ切欠きと接触することなく伸張するような長さである（図８）。バンパーのストッパタブからの離脱を試みるときに、突起は切欠きの上エッジ７２と係合しかつ離脱に抵抗する。本発明のかかるフローティングバンパーの機能は従来技術と同様である。内スライド部材が後退するときに、僅かに鉤を付けた（cant)内スライド部材の脚の後端部が内方向でそのゴムバンパーと係合してそれを圧縮する。内スライド部材が後方へ更に摺動するときに、ベント脚の鉤部は後バンパーを通過してそのバンパーを膨張させかつスライドおよび引出しを閉鎖位置に保持する。閉鎖位置における保持力はバンパー形状および構成により決定される。従って、タブ成形寸法における製造上の変化は従来技術のごとく保持力に悪影響を与えない。
【００１９】
タブとスロットの相対的寸法は、内スライド部材により係合するときにバンパーを側から側へ摺動させて内スライド部材のベント脚間にそれ自体をセンタリングさせるために選択され、それにより従来技術による圧力嵌めバンパーが通常遭遇する磨耗および破損を減少してバンパー寿命を相当に延長する。図８から理解されるように、バンパーがストッパ部材上に据えつけられるときに、該バンパーは『フローティングバンパー』、即ち、後ストッパタブにより緊張しない。
この『フローティングバンパー』から得られる他の形状および設計によるバンパーのために保持力、図示されていない概念および思想が当業者に理解されるであろう。同様に、当業者は内スライド部材上に『フローティングバンパー』を据えつけかつ外スライド部材から形成されるタブと係合する等他の共通する据えつけ装置を容易に理解することができる。
【図面の簡単な説明】
【図１】  従来技術による引出しスライドの断面図である。
【図２】  後ストッパタブおよび前記タブ上に据えつける前のバンパー断面を有する典型的従来技術による引出しスライドの固定部材の後端面図である。
【図３】  典型的従来技術による３部材引出しスライドの後端の一部の上面図である。
【図４】  図２のストッパタブに使用される典型的バンパーの上面図である。
【図５】  従来技術による引出しスライドの前端立面図である。
【図６】  本発明のバンパーを受けるための後ストッパを有する固定部材の後端面図である。
【図７】  Ａは本発明によるバンパーの上面図であり、ＢはＡのＢ−Ｂ線に沿ったバンパーの断面図であり、Ｃは本発明によるバンパーの斜視図である。
【図８】  ２部材スライドの後ストッパタブ上に据えつけられた本発明によるバンパーの端面図である。
【図１】
0004405681.tif 000002
【図２】
0004405681.tif 000003
【図３】
0004405681.tif 000004
【図４】
0004405681.tif 000005
【図５】
0004405681.tif 000006
【図６】
0004405681.tif 000007
【図８】
0004405681.tif 000008
【図７Ａ】
0004405681.tif 000009
【図７Ｂ】
0004405681.tif 000010
【図７Ｃ】
0004405681.tif 000011